(57)【要約】      （修正有）【課題】余韻持続のための作業が不要な太鼓を提供する。【解決手段】木材から筒状に形成される胴部１０と、胴部１０の両端部に張り付けられた皮面１１とを備え、胴部１０の内周面に漆を介して金箔の貼り付けにより形成される金箔層１２を有する。【選択図】図２
0003194335.tif 000002
【実用新案登録請求の範囲】
【請求項１】
筒状に形成される胴部（１０）と、その胴部（１０）の両端部に張り付けられた皮面（１１）とを備えた太鼓において、前記胴部（１０）が木材から形成され、その胴部（１０）の内周面に金属箔層（１２）を有することを特徴とする太鼓。
【請求項２】
前記金属箔層が金箔により形成された金箔層（１２）であることを特徴とする請求項１に記載の太鼓。
【請求項３】
前記金箔層（１２）が漆（１７）を接着剤とする金箔の貼り付けにより形成されることを特徴とする請求項２に記載の太鼓。
【考案の詳細な説明】
【技術分野】
【０００１】
この考案は、胴部の内周面に金箔層を有する太鼓に関する。
【背景技術】
【０００２】
従来から、太鼓としては、ケヤキ、トチ、セン等の一本の木をくり抜いて製作される筒状の胴部と、胴部の両端部に鋲により牛の皮、馬の皮等を張り付けた皮面とを備え、皮面を桴（バチ）で打って振動させ、その振動を胴部に伝達させ、胴部と皮面とで囲まれた太鼓の内部を共鳴箱として重低音を響かせて、余韻を持続させる。
【０００３】
皮面は、胴部の端部（歌口）の全周に接触しているため、その接触部分において、振動エネルギーの損失が大きくなり、弦楽器等の弦の振動と比較して、皮面の振動が比較的速く減衰し、太鼓の余韻があまり持続しない。
【０００４】
そこで、太鼓の余韻を長く持続させる太鼓が提案されている（例えば、特開平１１−１１９７７０号公報参照）。この太鼓は、胴部の内周面に三つの余韻増長器を備えたものであり、各余韻増長器は、短冊状で互いに同一寸法の２枚の金属製の振動子を有し、その振動子の表裏面が太鼓の皮面に平行となるようにねじにより装着される。
【０００５】
この余韻増長器を装着した太鼓は、桴で打たれた皮面の振動を、その皮面よりも質量が大きく硬いために振動が減衰し難い金属製振動子に伝え、この振動子に蓄えられた振動エネルギーを徐々に放出して太鼓の余韻を長く持続させることができる。
【考案の概要】
【考案が解決しようとする課題】
【０００６】
しかしながら、上述の余韻増長器を装着した太鼓は、皮面を桴で打って振動させ、その振動が胴部に伝達されて、胴部が振動すると、三つの余韻増長器を固定するねじが緩むことがある。
【０００７】
この場合、皮面の皮に弛みを生じたり、皮が破損・劣化したりした際に行われる皮の張り直し作業や交換作業等のメンテナンスとは別に、余韻増長器のねじを締め直すという余韻持続のための作業を行う必要がある。
【０００８】
この余韻持続のための作業は、２枚の金属製の振動子を有する三つの余韻増長器を、その振動子の表裏面が太鼓の皮面に平行となるように行う必要があり、前記メンテナンスとは別作業となって、手間のかかるものであった。
【０００９】
そこで、この考案の課題は、余韻持続のための作業が不要な太鼓を提供することにある。
【課題を解決するための手段】
【００１０】
上記の課題を解決するために、筒状に形成される胴部と、その胴部の両端部に張り付けられた皮面とを備えた太鼓において、前記胴部が木材から形成され、その胴部の内周面に金箔層を有する構成を採用することができる。
【００１１】
通常、木材は多孔質であり、多孔質の木材から胴部が形成され、その内周面に金箔層が形成されると、金箔層によって胴部の内周面の凹凸が覆われ、内周面の表面粗さが小さくなる。また、金箔層を構成する金箔は柔らかいことから、胴部の内周面の凹凸に応じて密着する状態で貼り付けることができる。
【００１２】
上記構成において、金箔層が漆を接着剤とする金箔の貼り付けにより形成される構成を採用することができる。
【考案の効果】
【００１３】
この考案は、金箔層が胴部の内周面に密着するため、太鼓の使用時において振動する胴部の内周面から金箔層が剥がれず、余韻を長く持続させるためのメンテナンスが不要となり、長期間にわたって余韻を長く維持することができる。
【００１４】
また、金箔層を有する胴部の内周面における音の吸収が抑制されるため、胴部の内周面で音が反射して、胴部内で音が反響して大きくなるとともに、音の響きが良くなる。
【図面の簡単な説明】
【００１５】
【図１】この考案に係る太鼓の実施形態を示す斜視図
【図２】同上の太鼓の胴部を示す一部切り欠き断面図
【図３】同上の太鼓の胴部の一部拡大断面図
【図４】同上の太鼓の効果検証実験の低周波数での実験結果を示す図
【図５】同上の太鼓の効果検証実験の高周波数での実験結果を示す図
【考案を実施するための形態】
【００１６】
以下、この考案に係る太鼓の実施形態を図１〜３に示す。
太鼓１は、図１〜３に示すように、木材から形成される筒状の胴部１０と、胴部１０の両端部に形成される皮面１１とを備え、台１８上に据え置かれる。
【００１７】
胴部１０は、ケヤキ、トチ、セン等の一本の木材をくり抜いて筒状に形成されたものである。胴部１０の長さは、直径よりも大きく、胴部１０の両端部に皮面１１が形成される。
【００１８】
胴部１０の内周面に金箔層１２が全面に形成されている。胴部１０の外周部には、周方向の対向位置となる一箇所から四箇所に金属製の座金１３が固定される。固定板１３にリング状の鐶１４が取り付けられる。
【００１９】
皮面１１は、胴部１０の両側部（歌口）の開口部分を閉塞するように１枚の皮１５が張り付けられ、皮１５の外周部分を胴部１０の外周部の端部に複数個の鋲１６により固定することで形成される。皮１５は、一枚の獣皮、例えば、牛皮等の天然皮革が用いられる。
【００２０】
金箔層１２は、図３に示すように、胴部１０の内周面に塗布される漆１７を接着剤として、その内周面の全面にわたって、複数枚の金箔を貼り付けることにより形成される。金箔は、柔らかいので、胴部１０の内周面に形成される凹凸を覆うように、その胴部１０の内周面に対して漆１７を介して密着する。
【００２１】
金箔の種類としては、例えば、四号色を使用することができる。金箔の厚みが０．１〜０．３μｍ程度、金箔の大きさは、太鼓１の内周面の面積に応じて、一辺が三寸六分または四寸二分の正方形のものを使用することができる。
【００２２】
金箔層１２の形成方法としては、例えば、以下の方法を採用することができる。すなわち、胴部１０の内周面に対し、予め下地塗りを行い、下地塗りの後、漆１７（箔下漆）を塗布、乾燥させる。その後、漆１７（箔押漆）を刷毛で塗り、軽く拭き取り、半乾きの状態で金箔を貼り付け、金箔の上から綿により軽く押し付けるようにする方法を採用することができる。
【００２３】
なお、金箔層１２の形成方法は、上記方法に限られず、下地塗りの後、漆１７（箔押漆）を刷毛で塗るようにしてもよく、また、漆１７以外の接着材により金箔を貼り付けるようにしてもよい。要は、胴部１０の内周面に対して金箔層１２が密着する状態に形成され、胴部１０の内周面の表面粗さが金箔層１２の形成前よりも小さくなればよい。
【００２４】
なお、胴部１０の内周面に形成される金箔層１２としては、金箔から形成されるものに限られず、例えば、金属箔から形成される金属箔層を採用することができる。
【００２５】
上記金属箔は、例えば、アルミニウム箔、銅箔、銀箔、白金箔などを使用することができ、金属箔層は、金箔層１２と同様、金属箔が胴部１０の内周面に対して密着する状態に形成できるものであればよく、胴部１０の内周面の表面粗さがその金属箔層の形成前よりも小さくなるものが好ましい。また、上記金属箔層は、酸化、腐食防止を目的とした表面処理を施した上記金属箔により形成することも可能である。
【００２６】
上記のように構成される本実施形態の太鼓１は、胴部１０が多孔質である木材から形成され、胴部１０の内周面に対して漆１７を接着剤として金箔を貼り付けて金箔層１２が形成される。金箔層１２によって、多孔質である胴部１０の内周面の凹凸が漆１７を介して覆われて、胴部１０の内周面の表面粗さが小さくなる。
【００２７】
表面粗さが小さくなることによって、桴を打ち付ける皮面の振動で発生する音は、金箔層１２の表面の凹凸で吸収され難くなり、胴部１０の内周面で反射する。これにより、その音が胴部１０内で反響して大きくなるとともに、音の響きが良くなる。
【００２８】
また、金箔層１２は、胴部１０の内周面に対して漆１７を介して密着しているため、皮面の振動が伝わる胴部１０の振動によって剥がれることがない。このため、上述した従来の太鼓のように、余韻持続のための作業を、皮面１１の皮の張り直し作業や交換作業等のメンテナンスとは別に行う必要がなく、長期間にわたって余韻を長く維持することができる。
【００２９】
以下、本発明に係る発明に係る太鼓の音の反響を確認するため、胴部の内周面に金箔から形成された金箔層を有する太鼓（実験例）について、金箔層を有していない太鼓（比較例）との比較実験を行った。
【００３０】
本比較実験の試験条件、方法は、太鼓の胴部の一方の歌口にのみを張って皮面を形成し、胴部の他方の歌口から胴部内部へ、所定の周波数（高周波数、低周波数）を有する人工音をスピーカから出力する。胴部内部の中央位置及び、胴部内部の前記皮面から１ｃｍ離れた位置に設置したマイクにより集音し、集音された各周波数の人工音について、スピーカから出力後からの時間経過による振幅を測定した。実験結果を図４、５に示す。
【００３１】
図４に示すように、低周波数（例えば、６３Ｈｚ、８０Ｈｚ）において、実験例は、比較例に比べ、音の減衰が抑制され、スピーカ出力後２００ｍｓ以降に振幅が大きく維持されている。
【００３２】
また、図５に示すように、高周波数（例えば、１２５０Ｈｚ、１６００Ｈｚ）においても、図４と同様に、実験例は、比較例に比べ、音の減衰が抑制され、スピーカ出力後１００ｍｓ以降に振幅が大きく維持されている。
【００３３】
以上より、実験例は、比較例に比べ、音の減衰が抑制され、時間経過により振幅が大きく維持されているため、胴部内で音が反響して大きくなるとともに、音の響きが良くなることが認められた。
【符号の説明】
【００３４】
１  太鼓
１０  胴部
１１  皮面
１２  金箔層
１３  座金
１４  鐶
１５  皮
１６  鋲
１７  漆
１８  台座
【図１】
0003194335.tif 000003
【図２】
0003194335.tif 000004
【図３】
0003194335.tif 000005
【図４】
0003194335.tif 000006
【図５】
0003194335.tif 000007